(57)【要約】【課題】地板の外側に例えばソーラーセルなどを配置して新たな機能を盛り込む場合でも、回路基板に対して最小限の変更で対応することが可能な電子時計を提供する。【解決手段】外装ケース２内の文字板４の外側にソーラーセル（回路素子）１１を垂直に配置するとともに、時計ムーブメント９の平面側から見た平面視で、回路基板１０を除いた時計ムーブメント９の外形から、回路基板１０から突出するように回路基板突出部１０ａを回路基板１０に設け、回路基板突出部１０ａの一方の面に設けた接続端子部２９ａ，２９ｂとソーラーセル１１との間を電気的に接続させる接続バネ１２ａ，１２ｂを有している。【選択図】図２
2015090327.tif 000002
【特許請求の範囲】
【請求項１】
時計ムーブメントを電気的に駆動させるための電子部品が実装された回路基板を有し、前記時計ムーブメントが外装ケース内で文字板の裏面側と裏蓋との間に配置された電子時計において、
前記時計ムーブメントの外側に回路素子を配置するとともに、前記時計ムーブメントの平面側から見た平面視で、前記回路基板を除いた前記時計ムーブメントの外形から、前記回路基板が突出するように回路基板突出部を前記回路基板に設け、
前記回路基板突出部の一方の面に設けた接続端子部と前記回路素子との間を電気的に接続させる接続部材を有することを特徴とする電子時計。
【請求項２】
前記回路素子は、前記外装ケースの内周面に沿って前記文字板の外側に、垂直に配置されるか、又は前記文字板に対して所定の角度で傾けて配置される、帯状のソーラーセルであることを特徴とする請求項１に記載の電子時計。
【請求項３】
前記外装ケースの内周面は、外側に膨らんだ形状であり、前記外装ケースの内周面に沿って、前記ソーラーセルの端部が当接する当接部を設け、
前記ソーラーセルに対して、前記外装ケースの外側の方向に膨らむ力が加わる位置に、前記当接部を配置したことを特徴とする請求項２に記載の電子時計。
【請求項４】
前記回路基板突出部の他方の面に、前記回路素子に対応した電子部品が実装されていることを特徴とする請求項１乃至３のいずれか一項に記載の電子時計。
【請求項５】
前記電子部品は、前記回路基板に実装された状態において前記回路基板の平面視で細長い外形形状であり、
前記回路基板突出部の突出方向に対して前記電子部品を傾斜させて実装するように、前記回路基板突出部に前記電子部品を実装する実装パターンを形成したことを特徴とする請求項４に記載の電子時計。
【請求項６】
前記電子時計は、さらに、前記文字板に対して裏蓋側とは反対側に配置された風防を有し、
前記回路基板突出部の前記接続端子部が前記外装ケース内の裏蓋側に位置して、板バネ状に形成された前記接続部材の基板側端部が前記文字板側に押圧するように前記接続端子部に当接され、
前記文字板は、前記外装ケース内の前記時計ムーブメント周囲に弾性力を有する接着部材で接着されるとともに、前記文字板の風防側の外周面側を、前記風防の内側に設けた押え部材で押えられていることを特徴とする請求項１乃至５のいずれか一項に記載の電子時計。
【請求項７】
前記押え部材は、前記風防の裏面側の外周部に一体に形成された延出部であることを特徴とする請求項６に記載の電子時計。
【請求項８】
前記押え部材は、前記風防の裏面側の外周部に接着された別体で形成された部材であることを特徴とする請求項６に記載の電子時計。
【請求項９】
前記延出部の前記文字板と接する面の、少なくとも前記接続部材が位置する部分に、光の透過率を低下させる透過率低下手段を設けていることを特徴とする請求項７に記載の電子時計。
【請求項１０】
前記別体で形成された部材の文字板側又は／及び風防側と接する面、又は前記風防の前記別体で形成された部材と接する面の、少なくとも前記接続部材が位置する部分に、光の透過率を低下させる透過率低下手段を設けていることを特徴とする請求項８に記載の電子時計。
【請求項１１】
前記文字板の風防側表面の外周部に、反射層を設けていることを特徴とする請求項１乃至８のいずれか一項に記載の電子時計。
【請求項１２】
前記押え部材の前記文字板と接する面に、反射層を設けていることを特徴とする請求項７又は８に記載の電子時計。
【発明の詳細な説明】
【技術分野】
【０００１】
本発明は、時計ムーブメントを駆動させる時計駆動部の回路基板を有する電子時計に関する。
【背景技術】
【０００２】
従来より、ボタン電池等の一次電池を搭載しこの一次電池の電力を時計駆動源とする時計ムーブメントを有するクォーツ時計が知られているが、近年、ソーラーセルで得られた発電電力を時計駆動源として利用するソーラーセル付電子時計が増えている。
【０００３】
ソーラーセルで得られた発電電力を時計駆動源として利用するソーラーセル付電子時計では、例えば、ソーラーセルを半透過性の文字板の背面側に配置する構造が従来より知られているが、このようなソーラーセルの配置構造では、文字板を半透過性の材料で形成する必要があることから、文字板のデザイン等に制約が生じる。
【０００４】
そこで、このような文字板のデザイン制約を解消するために、例えば、特許文献１には、文字板の外周縁部周囲に、帯状のソーラーセルを略垂直に配置する構造のソーラーセル付電子時計が提案されている。
【０００５】
特許文献１のソーラーセル付電子時計では、文字板の外周縁部の外側周囲に垂直に配置された帯状のソーラーセルと回路基板との間に接続バネを設置して、接続バネの先端側をソーラーセルに弾性変位可能に圧接させている。これにより、ソーラーセルで得られた発電電力が、接続バネと回路基板を介して二次電池に蓄電される。
【先行技術文献】
【特許文献】
【０００６】
【特許文献１】特開２０１３−２９４６９号公報
【発明の概要】
【発明が解決しようとする課題】
【０００７】
特許文献１のようなソーラーセル付電子時計は、電池交換が不要という利点がある。そして、このようなソーラーセル付電子時計を、既存の一次電池を搭載する時計ムーブメントの改造により、小規模な開発、及び既存の時計ムーブメントと部品を共有化できれば、コストの面、及び開発期間の面でのメリットは大きい。
【０００８】
しかしながら、クォーツ時計用の回路基板をソーラーセル付電子時計用の回路基板に変更したりすると、時計ムーブメントの部品配置等に大幅な変更が生じ、小規模な開発や部品の共通化が難しいなどの問題があった。
【０００９】
そこで、本発明は、時計ムーブメントの外側に例えばソーラーセルなどを配置して新たな機能を盛り込む場合でも、時計ムーブメントに対して最小限の変更で対応することが可能な電子時計を提供することを目的とする。
【課題を解決するための手段】
【００１０】
前記目的を達成するために本発明に係る電子時計は、時計ムーブメントを電気的に駆動させるための電子部品が実装された回路基板を有し、前記時計ムーブメントが外装ケース内で文字板の裏面側と裏蓋との間に配置された電子時計において、前記時計ムーブメントの外側に回路素子を配置するとともに、前記時計ムーブメントの平面側から見た平面視で、前記回路基板を除いた前記時計ムーブメントの外形から、前記回路基板が突出するように回路基板突出部を前記回路基板に設け、前記回路基板突出部の一方の面に設けた接続端子部と前記回路素子との間を電気的に接続させる接続部材を有することを特徴としている。
【発明の効果】
【００１１】
本発明に係る電子時計によれば、時計ムーブメントの外側に回路素子（例えばソーラーセル）を配置して新たな機能を盛り込んだ場合でも、時計ムーブメントを構成する回路基板に、回路基板を除いた時計ムーブメントの外形から突出するようにして回路素子に対応した回路基板突出部を形成することにより、最小限の変更で容易に対応することができる。
【図面の簡単な説明】
【００１２】
【図１】本発明の実施形態に係る電子時計の表面側（文字板側）を示す平面図。
【図２】図１のＡ−Ａ線断面図。
【図３】本発明の実施形態に係る電子時計の分解斜視図。
【図４】ソーラーセルを示す斜視図。
【図５】本発明の実施形態に係る電子時計の文字板の「６時」付近を示す図。
【図６】（ａ）は、時計ムーブメントの文字板側を示す図、（ｂ）は、時計ムーブメントの側面図、（ｃ）は、時計ムーブメントの裏蓋側を示す図。
【図７】（ａ）は、回路基板の文字板側を示す図、（ｂ）は、回路基板の裏蓋側を示す図。
【図８】（ａ）〜（ｄ）は、ソーラーセルと接続バネの組み付け手順を示す図。
【図９】本実施形態に係る電子時計の文字板の「６時」付近を示す拡大図。
【図１０】（ａ）は、外装ケース内への時計ムーブメントの組み付けを示す図、（ｂ）は、接続バネで電気的に接続されたソーラーセルと回路基板突出部の接続端子部付近を示す断面図。
【図１１】（ａ）〜（ｃ）は、文字板と指針の組み付け手順を示す図。
【図１２】文字板の裏面を示す斜視図。
【図１３】外装ケース内の４箇所の接着領域を示す斜視図。
【図１４】風防部材を外装ケースの内周面に溶着した状態を示す図。
【図１５】（ａ）は、ソーラーセル当接部材を、外装ケースの内側周面に形成した溝部に圧入した状態を示す図、（ｂ）は、ソーラーセルの先端部をソーラーセル当接部材の側面に当接させて、ソーラーセルを外装ケースの内側周面に沿って当接させた状態を示す図、（ｃ）は、ソーラーセルの先端部を、溝部内に少し突出する程度に位置させている状態を示す図。
【図１６】（ａ）は、ソーラーセル当接部材でソーラーセルの両先端部を保持した状態を示す斜視図、（ｂ）は、ソーラーセル当接部材でソーラーセルの両先端部を保持した状態を示す平面図。
【図１７】見返しリングの下面にシボを設けた状態を示す図。
【図１８】風防部材と別体に形成された見返しリングを示す図。
【図１９】見返しリングと文字板の外周部に、光反射率の高い反射層を設けた状態を示す図。
【発明を実施するための形態】
【００１３】
以下、本発明を図示の実施形態に基づいて説明する。
図１は、本発明の実施形態に係る電子時計の表面側（文字板側）を示す平面図、図２は、図１のＡ−Ａ線断面図、図３は、本実施形態に係る電子時計の分解斜視図である。なお、本実施形態における電子時計は、ソーラーセル（太陽電池）で得られた発電電力を時計駆動源として利用し、指針（時針、分針、秒針）で時刻を表示するソーラーセル付腕時計の例である。
【００１４】
また、本実施形態では、一次電池で駆動される時計ムーブメントを、ソーラーセルを用いて二次電池で駆動するように改造したものである。
【００１５】
（電子時計の全体構成）
図１〜図３に示すように、本実施形態の電子時計（ソーラーセル付腕時計）１は、外装ケース２の表面側に設けた風防部材３の内側に円板状の文字板４が設置されており、文字板４上の中心には指針（時針５、分針６、秒針７）が同軸上に設置されている。外装ケース２は樹脂材によって一体成形されており、風防部材３は透明樹脂材によって形成されている。風防部材３の外周縁部近傍の内側周囲には、見返しリング８（図２参照）が一体に形成されている。
【００１６】
外装ケース２は、裏蓋部分も一体成形した構造であり、外装ケース２内の底部に形成した凹部２ａ（図３参照）と文字板４の裏面との間に、時計ムーブメント９が配置される。なお、外装ケース２に別体で形成した裏蓋を嵌合させた構成でもよい。
【００１７】
外装ケース２の内側周面には、文字板４の外周縁部の外側周囲に位置するようにして帯状のソーラーセル１１が垂直に配置されている。ソーラーセル１１の取出し電極１１ｄ，１１ｅ（図４参照）と回路基板１０は、薄板状の導電性部材からなる接続バネ１２ａ，１２ｂによって電気的に接続されている（詳細な接続構造については後述する）。
【００１８】
接続バネ１２ａ，１２ｂの両端側は、弾性力が得られるように斜め上方側に向けて曲げられている。
【００１９】
また、文字板４の「３時」（図１の右側）に位置する外装ケース２の外側面には竜頭（リューズ）１３が配置されており、この竜頭１３に連結された巻真１４は、時計ムーブメント９の内部まで伸びている。
【００２０】
（ソーラーセル１１の構成）
図４に示すように、ソーラーセル１１は、ＰＥＴフィルム製のベース基板１１ａにアモルファスシリコン層等を形成した細長い帯状の可撓性を有するソーラーセル（太陽電池）であり、太陽光等の光を受光して発電を行う一方の面側の発電領域１１ｂ、及び該光発電領域１１ｂの中央部から下側に突出した突出部１１ｃに取出し電極１１ｄ，１１ｅが設けられている。
【００２１】
帯状のソーラーセル１１は、図５に示すように、外装ケース２の内側周面に沿って、中央部の突出部１１ｃが文字板４の「６時」付近に保持されるようにして垂直に配置されている。ソーラーセル１１の両端側は、文字板４の「６時」付近を中心にしてそれぞれ文字板４の「２時」近傍と文字板４の「１０時」近傍に位置している。垂直に配置されたソーラーセル１１は、見返しリング８と対向するようにして発電領域１１ｂが内側（文字板４側）に向いている。
【００２２】
ソーラーセル１１は可撓性を有しているので、図５のように両側を円弧状に湾曲させた場合には元の直線状態に戻ろうとする弾性力が作用し、外装ケース２の内側周面に沿って保持される。なお、図５では風防部材３を取り外している。
【００２３】
（時計ムーブメント９の構成）
図６（ａ），（ｂ），（ｃ）に、時計ムーブメント９を示す。なお、図６（ａ）は、時計ムーブメント９の表面側（文字板４側）を示した図、図６（ｂ）は、その側面を示した図、図６（ｃ）は、時計ムーブメント９の裏面側（文字板４と反対側）を示した図である。
【００２４】
時計ムーブメント９は、地板２０、指針（時針５、分針６、秒針７）を複数の輪列２１を介して駆動する駆動モータ（ステップモータ）２２の駆動コイル２２ａ、ソーラーセル１１で発電された電力を蓄電する二次電池２３、計時用の基準クロックを発振する水晶振動子２４、複数の輪列２１を保持した輪列受２５、二次電池２３を保持する二次電池押え部材２６等を主要部品として備えている。なお、駆動モータ２２は、駆動コイル２１ａの他にステータ、ロータ等を備えている。
【００２５】
なお、図６（ａ）〜（ｃ）では省略したが、時計ムーブメント９の内部に先端側が繋がっている巻真１４の外側端部には竜頭１３（図３参照）が取り付けられている。
【００２６】
（回路基板１０の構成）
図７（ａ），（ｂ）に示すように、回路基板１０の殆どは地板２０内に配置されているが、回路基板１０の一方側（図７（ａ）の右側、図７（ｂ）の左側）の側端部（以下、「回路基板突出部」という）１０ａが地板２０の側端面から突出している。
【００２７】
なお、図７（ａ）は、地板２０の裏面と対向した面（以下、「表面」という）の回路基板１０を示す平面図であり、図７（ｂ）は、地板２０の裏面と反対側の面（以下、「裏面」という）の回路基板１０を示す平面図である。
【００２８】
回路基板１０の地板２０内に位置する部分（回路基板突出部１０ａ以外の部分）には、時計ムーブメント９を駆動制御するための制御ＩＣ２７等の複数の電子部品等が実装される。なお、図７では、これらの実装部品（制御ＩＣ２７、水晶振動子２４等）は図示せずに省略している。
【００２９】
回路基板１０の回路基板突出部１０ａの表面（文字板４側の面）には、ソーラーセル１１で得られた電源用や昇圧用などの２個のコンデンサ２８等が実装されている。なお、コンデンサ２８は、回路基板１０の平面視で細長い外径形状であり、回路基板突出部１０ａの出っ張りを最小にするために、２個のコンデンサ２８を、回路基板突出部１０ａの突出方向に対して略４５度傾斜させて実装するように、実装パターンを形成している。また、回路基板突出部１０ａの裏面（文字板４と反対側の面）には、接続バネ１２ａ，１２ｂ（図３等参照）の基板側端部が当接される２つの接続端子部２９ａ，２９ｂが設けられている。
【００３０】
なお、改造前の一次電池用のムーブメントにおける回路基板１０の外形は、回路基板突出部１０ａを除いた外径形状であり、平面視で、地板２０内に納まる大きさや配置位置である。本実施形態では、改造前の実装部品のレイアウトを略そのまま利用して共通化し、ソーラー化にともなって追加され、元の回路基板内に配置できないコンデンサ２８と、２つの接続端子２９ａ，２９ｂを、回路基板突出部１０ａに配置している。
【００３１】
仮に、コンデンサ２８の長さ方向を、回路基板突出部１０ａの突出方向に平行に配置すると、図７に図示した回路基板突出部１０ａの出っ張り幅よりも、コンデンサ２８の長さの方が長くなり、回路基板突出部１０ａの出っ張り幅を長くする必要がある。
【００３２】
また、コンデンサ２８の長さ方向を、回路基板突出部１０ａの突出方向に直交する方向に直線状に並べて配置すると、接続端子２９ａ，２９ｂとして必要な突出方向への突出量に加え、回路基板突出部１０ａは、突出方向に直交する方向の幅も大きくなり、その結果、回路基板突出部１０ａの面積が大きくなってしまう。
【００３３】
更に、接続端子２９ａ，２９ｂとは反対側の面で、これらに平面的に重なる位置にコンデンサ２８を実装することにより、回路基板突出部１０ａの強度が強くなり、接続端子２９ａ，２９ｂによって回路基板突出部１０ａが押圧されて変形するのを防ぐことができる。
【００３４】
次に、電子時計１の上記した主要構成部品（風防部材３、時計ムーブメント９、ソーラーセル１１、接続バネ１２ａ，１２ｂ等）の外装ケース２内への組み付け手順を、図８〜図１４を参照して簡単に説明する。
【００３５】
図８（ａ）、（ｂ）に示すように、外装ケース２の内側周面近傍には、この内側周面に沿って湾曲した複数の凸部２ｂが一体に形成されており、この内側周面と凸部２ｂとの間の隙間に、ソーラーセル１１を垂直に配置する。この際、外装ケース２内の底部に形成した凹状の接続バネ固定部２ｃの内側周面側に、ソーラーセル１１の突出部１１ｃ（図９参照）を配置することで、ソーラーセル１１が位置決めされて保持される。なお、ソーラーセル１１の突出部１１ｃが保持される接続バネ固定部２ｃの位置は、文字板４の「６時」付近に対応している。図９に示すように、外装ケース２の内側周面の、文字板４の「６時」付近には、ソーラーセル１１の突出部１１ｃに設けた取出し電極１１ｄ，１１ｅが位置している。
【００３６】
そして、図８（ｃ）、（ｄ）に示すように、接続バネ固定部２ｃに設けた２つの突起部２ｄ（図８（ａ）、（ｂ）参照）に、接続バネ１２ａ，１２ｂに形成した孔１２ｃ（図３参照）を通し、更にその上から固定板３０に形成した孔３０ａ（図３参照）を通して、ビス３１により固定板３０を介して接続バネ１２ａ，１２ｂの平面部を接続バネ固定部２ｃに固定する。これにより、接続バネ１２ａ，１２ｂのソーラーセル側端部は、ソーラーセル１１の取出し電極１１ｄ，１１ｅに弾性力を付与して当接される（図１０（ｂ）参照）。
【００３７】
そして、図１０（ａ）に示すように、時計ムーブメント９を外装ケース２内の底部の凹部２ａに上方から嵌合して固定し、その後、巻真１４の先端に竜頭１３を取り付ける。この際、図１０（ｂ）に示すように、回路基板１０の回路基板突出部１０ａに形成した各接続端子部２９ａ，２９ｂに、接続バネ１２ａ，１２ｂの基板側端部が弾性力を付与して当接される。これにより、ソーラーセル１１の取出し電極１１ｄ，１１ｅと回路基板突出部１０ａの接続端子部２９ａ，２９ｂは、接続バネ１２ａ，１２ｂを介して電気的に接続される。
【００３８】
そして、図１１（ａ）、（ｂ）に示すように、時計ムーブメント９を覆うように、文字板４を外装ケース２内に配置する。この際、図１２に示すように、文字板４の裏面に形成した２本の位置決めピン３１を時計ムーブメント９に設けた位置決め穴（不図示）に挿入し、文字板４の裏面の外周側に取り付けた４か所の円形状の両面接着テープ３２を、図１３に示す外装ケース２内の４箇所の接着領域２ｅに接着させる。これにより、文字板４が外装ケース２内の地板２０周囲の所定位置に位置決めされて固定される。この状態ではまだ組み付け作業の途中なので、文字板４は仮固定の状態である。
【００３９】
なお、回路基板１０は、接続バネ１２ａ，１２ｂによって、文字板４側に弾性力が付与されているが、文字板４を両面接着テープで外装ケース２に接着することにより、仮固定の状態でも、時計ムーブメント９に固定された文字板４が浮き上がらないようにすることができる。
【００４０】
そして、図１１（ｃ）に示すように、文字板４の中央開口部から突出した指針軸３３に指針（時針５、分針６、秒針７）を嵌入する。
【００４１】
そして、図１４に示すように、文字板４上から風防部材３を外装ケース２内に配置し、透明樹脂材からなる風防部材３の外周下側の角部３ａ周囲を、樹脂材からなる外装ケース２の内側周面の段部に超音波溶着し、外装ケース２内の文字板４側の表面を風防部材３で密閉する。これにより、図１、図２に示したような、主要構成部品（風防部材３、時計ムーブメント９、ソーラーセル１１、接続バネ１２ａ，１２ｂ等）が外装ケース２内に組み付けられた電子時計１が得られる。
【００４２】
上記した電子時計１では、太陽光等の光が風防部材３及び見返しリング８を通して垂直に配置したソーラーセル１１（発電領域１１ｂ）に入射することで、発電領域１１ｂで電力が得られる。そして、ソーラーセル１１（発電領域１１ｂ）で得られた電力は、接続バネ１２ａ，１２ｂ、接続端子部２９ａ，２９ｂ等を介して二次電池２３に蓄電され、回路基板１０の回路部や時計ムーブメント９の指針駆動モータ等に供給される。
【００４３】
また、図１４に示すように、見返しリング８の文字板４側の上部８ａは所定の曲率半径を有する曲面に形成されている。このため、風防部材３に入射した光の一部は、この曲面状の上部８ａでソーラーセル１１側に反射して、発電領域１１ｂに入射することで、受光効率を高めることができる。
【００４４】
また、上記したように、風防部材３と一体に形成されている見返しリング８の下面が文字板４の外周縁部周囲に当接して、文字板４を上から押さえつけている。これにより、回路基板１０の回路基板突出部１０ａには、接続バネ１２ａ，１２ｂの基板端部側への弾性力によって上方側へ浮き上がるような力が作用しているが、見返しリング８による文字板４の押え付けによって、回路基板突出部１０ａの浮き上がりを確実に抑制することができる。
【００４５】
また、文字板４を外装ケース２に固定している両面接着テープ３２自体に若干の弾力性（クッション性）を有しているので、時計ムーブメント９の厚さ、外装ケース２の高さ方向の寸法、風防部材３の高さ方向の寸法により、文字板４の高さ位置に多少誤差が有ってもこの誤差を吸収して精度よく固定することができる。なお、文字板４の固定に両面接着テープ３２を用いたが、両面接着テープ３２以外にもシリコン接着剤等の弾性のある接着剤を用いてもよい。
【００４６】
また、外装ケース２の内側周面に沿って帯状のソーラーセル１１を垂直に配置しているので、風防部材３の上方から文字板４側を目視した場合でもソーラーセル１１は目立ちにくく、更に、風防部材３の斜め上方から目視した場合には、見返しリング８がソーラーセル１１の手前にあるので、ソーラーセル１１は目立ちにくい。
【００４７】
更に、ソーラーセル１１の取出し電極１１ｄ，１１ｅが、文字板４の「６時」付近に配置している（図５、図９参照）。これは、この電子時計１を腕に装着して、風防部材３の上方から文字板４側を目視したときに、文字板４の「６時」付近に位置する外装ケース２の内側周面側が、外装ケース２によって死角になり易い。このため、図１４に示すように、文字板４の外周部とソーラーセル１１との間の隙間に位置している、接続バネ１２ａ，１２ｂのソーラーセル側端部を目立ちにくくすることができる。
【００４８】
ところで、上記した電子時計１において、時計ムーブメント９は、回路基板突出部１０ａを除き、一般的な汎用性のあるクォーツ時計用のものを略そのまま使用し、最小限の変更で時計ムーブメントのソーラーセル（太陽電池）化を図ったものである。
【００４９】
即ち、最小限の変更で一般的なクォーツ時計用の汎用性のある構造からソーラーセル（太陽電池）化を図るために、本実施形態では、上記したように、回路基板１０に地板２０から突出するようにして２個のコンデンサ２８等を実装した回路基板突出部１０ａと、外装ケース２の内側周面に沿って垂直に配置した帯状のソーラーセル１１と、回路基板突出部１０ａに形成した接続端子部２９ａ，２９ｂとソーラーセル１１の取出し電極１１ｄ，１１ｅとの間を電気的に接続した接続バネ１２ａ，１２ｂとを新たに設けたものである。
【００５０】
なお、電池は一次電池から二次電池に変更している（一次電池と二次電池の大きさは略同じである）。また、回路基板突出部１０ａの出っ張りを最小限にするために、実装するコンデンサ２８を略４５度傾斜させている。
【００５１】
このように、時計ムーブメント９は最小限の変更で済むので、一般的な汎用性のあるクォーツ時計用のものを使用でき、更に、従来からの時計ムーブメントの自動組立て装置も最小限の改良で使用することができる。よって、上記したソーラーセル付の電子時計１をより低コストで、かつ生産性よく製造することが可能となる。
【００５２】
ところで、外装ケース２の内側周面に沿ってソーラーセル１１を垂直に組込む際において、図４に示した可撓性を有する帯状のソーラーセル１１は、両側を円弧状に湾曲させた状態で、外装ケース２の内側周面と凸部２ｂ（図８（ａ）、（ｂ）参照）の間の溝に沿って保持される。しかしながら、ソーラーセル１１全体を円弧状に湾曲させて外装ケース２の内側周面に沿って配置させる際に、ソーラーセル１１の先端部が固定されずに自由端になっている場合には、ソーラーセル１１の組み込みの際に、ソーラーセル１１に触れるなどにより、特にソーラーセル１１の先端部近傍が、外装ケース２の内側周面と凸部２ｂの間の溝から外れて持ち上がるとともに、凸部２ｂの上に乗り上げることがある。
【００５３】
このように、ソーラーセル１１の先端部近傍が凸部２ｂの上に乗り上げると、その後の工程で風防部材３を外装ケース２に組込む際に、風防部材３と一体に形成されている見返しリング８の下面が、ソーラーセル１１の先端側に当たって、ソーラーセル１１が変形したり、破損するおそれがある。よって、円弧状に湾曲されたソーラーセル１１全体を、外装ケース２の内側周面と凸部２ｂの間の溝に沿って保持させることが重要である。
【００５４】
そこで、図１５（ａ）、（ｂ）に示すように、ソーラーセル１１の両側先端部（図では、一方側の先端部）に当接させるためのソーラーセル当接部材４０を設けている。このソーラーセル当接部材４０は、外装ケース２の内側周面２ｆに形成した凹状の溝部２ｇ（図１５（ｃ）参照）に内側前方から圧入して固定している。ソーラーセル１１の先端部は、図１５（ｃ）に示すように、ソーラーセル当接部材４０を取り去った状態では、凹状の溝部２ｇ内に少し突出する程度となるように設定されている。すなわち、ソーラーセル当接部材４０は、ソーラーセル１１の先端部が、ソーラーセル当接部材４０の側面に当接して突っ張る力が働くような位置に配置されている。ソーラーセル１１は、図１５（ｂ）のように、外装ケース２の、円弧状に膨らんだ内側周面２ｆに沿って配置される。
【００５５】
なお、図１５（ａ）、（ｂ）、（ｃ）では、外装ケース２の内側周面２ｆの内側に沿って近接して設けている凸部２ｂ（図８（ａ）、（ｂ）参照）は省略している。
【００５６】
図１５（ｂ）の状態では、ソーラーセル１１の先端部がソーラーセル当接部材４０の側面に当接し、ソーラーセル１１の先端部が、凹状の溝部２ｇ内に突出することができない。これにより、ソーラーセル１１に対して、外装ケース２の内側周面２ｆに沿って円弧状に変形して外側に膨らむような力が作用し、図１６（ａ）、（ｂ）に示すように、円弧状に湾曲したソーラーセル１１全体が外装ケース２の内側周面２ｆに沿った形で保持される。また、ソーラーセル１１の先端部には、ソーラーセル当接部材４０の側面を押し付ける力が働き、ソーラーセル１１の先端部とソーラーセル当接部材４０の側面との間の摩擦力により、ソーラーセル１１の先端部が持ち上がることを防ぐ。
【００５７】
なお、ソーラーセル当接部材４０は、外装ケース２に一体に形成されていてもよい。また、ソーラーセル当接部材４０におけるソーラーセル１１の先端部が当接する面のうち、外装ケース２の内側周面から離れた位置に凸部を形成し、ソーラーセル１１の先端部が、外装ケース２の内側周面から離れる方向に力が働いたときに、ソーラーセル１１の先端部が、この凸部に当接するようにして、ソーラーセル１１の先端部が、ソーラーセル当接部材４０の当接面から外れるのを防いでもよい。
【００５８】
このように、外装ケース２の内側周面２ｆにソーラーセル１１を垂直に組込む際に、ソーラーセル１１の両側先端部を、ソーラーセル当接部材４０の側面に当接させて保持することで、円弧状に湾曲したソーラーセル１１全体が外装ケース２の内側周面２ｆと凸部２ｂ（図８（ａ）、（ｂ）参照）の間の溝に保持させることができる。
【００５９】
なお、上記した本実施形態では、回路基板１０に、平面視で時計ムーブメント９から突出するようにして回路基板突出部１０ａを設けていたが、図１５、図１６に示したソーラーセル１１の両側先端部付近を保持するソーラーセル当接部材４０を設けた構成に関しては、回路基板１０に前記回路基板突出部１０ａを有していない電子時計においても適用可能である。
【００６０】
また、図１７に示すように、上記した電子時計１において、風防部材３と一体に形成された見返しリング８の下面及び風防部材３のソーラーセル側内面をシボ加工してシボ３４を設けてもよい。上記した見返しリング８の下面及び風防部材３のソーラーセル側内面にシボ３４を設けることで、シボ３４の部分の光の透過率が低下し、接続バネ１２ａ，１２ｂの上方や、風防部材３の中央側の上方から文字板４の「６時」付近を見返しリング８の下面を通して目視したときに、ソーラーセル１１の取出し電極１１ｄ，１１ｅや接続バネ１２ａ，１２ｂのソーラーセル側端部等を見えにくくすることができる。即ち、シボ３４は、光の透過率を低下させる透過率低下手段である。
【００６１】
更に、見返しリング８を外装ケース２側に厚くして、シボ加工された部分をソーラーセル１１の取出し電極１１ｄ，１１ｅ側に近づけて、これらの部分を、より見えにくくするすることもできる。
【００６２】
なお、見返しリング８の下面の全周にわたってシボ３４を設けてもよいが、文字板４の「６時」付近（ソーラーセル１１の取出し電極１１ｄ，１１ｅ付近）だけでもよい。また、見返しリング８の下面に、シボ以外にも、透過率低下手段として、例えば黒色やミラー調の塗装を施してもよい。
【００６３】
また、前記実施形態では、風防部材３の裏側（文字板４側）に見返しリング８を一体に形成した構成であったが、これ以外にも、図１８に示すように、透明樹脂材からなる別体で形成した見返しリング３５を、風防部材３の裏側（文字板４側）に接着剤で接着して配置するようにしてもよい。
【００６４】
また、この場合、外装ケース２において、文字板４を取り囲んでいる枠状部分に形成された２時、４時、８時、１０時位置付近の凹部（不図示）に対応するように、見返しリング３５の下面にボスや突起を形成し、これらの凹部とボス又は突起により、見返しリング３５を位置決めすることで、見返しリング３５を接着せずに組み込むようにしてよい。
【００６５】
この場合においても、見返しリング３５の上面か下面、あるいは風防部材３の見返しリング３５の上面が接する面や接続バネ１２ａ，１２ｂと平面的に重なる位置に、透過率低下手段（例えば、シボ、黒色やミラー調の塗装）を設けてもよい。
【００６６】
また、図１９に示すように、文字板４の表面の外周付近及び見返しリング８の下面に、光反射率の高い反射層３６を設けてもよい。この場合には、風防部材３を透過した光の一部がこの反射層３６で反射して、ソーラーセル１１（発電領域１１ｂ）に入射することで、受光効率を高めることができる。
【００６７】
なお、文字板４の表面の外周付近か見返しリング８の下面のいずれか一方に反射層３６を設けてもよい。
【００６８】
また、前記実施形態では、透明樹脂材からなる風防部材３を樹脂材からなる外装ケース２の内側周面の段部に超音波溶着した構成であったが、これ以外にもこの風防部材３を外装ケース２の内側周面の段部にレーザー溶着で接着するようにしてよい。上記した超音波溶着によって電子時計１に加えられる振動により、水晶振動子の水晶が破損する等、電子時計１を構成する部品に影響がある場合には、レーザー溶着で接着するとよい。
【００６９】
また、図５、図９に示したように、前記実施形態では文字板４の「６時」付近の外側に、ソーラーセル１１の取出し電極１１ｄ，１１ｅや接続バネ１２ａ，１２ｂのソーラーセル側端部が位置している。そこで、文字板４の「６時」付近を外側に突出させて、この突出させた部分でソーラーセル１１の取出し電極１１ｄ，１１ｅや接続バネ１２ａ，１２ｂのソーラーセル側端部を覆って見えにくくするようにしてもよい。
【００７０】
また、前記実施形態では、接続バネ１２ａ，１２ｂの基板側端部が回路基板突出部１０ａを文字板４側に押圧するように構成されていたが、接続バネ１２ａ，１２ｂの基板側端部が回路基板突出部１０ａを文字板４と反対側に押圧するように構成してもよい。この場合には、回路基板突出部１０ａの文字板４側の面に接続端子部２９ａ，２９ｂを設け、基板突出部１０ａの文字板４と反対側の面にコンデンサ２８等を実装する。
【００７１】
また、接続端子部２９ａ，２９ｂと、取出し電極１１ｄ，１１ｅとを接続する手段として、接続バネ１２ａ，１２ｂ以外に、例えば、リード線、ＦＰＣ、コイル状のバネなどを用いてもよい。
【００７２】
なお、前記実施形態では、新たに配置したソーラーセル１１に対応して、回路基板１０の回路基板突出部１０ａにコンデンサ２８を実装した構成であったが、これ以外にも例えば、回路素子として文字板照明用のＬＥＤを新たに配置することも可能である。その場合には、回路基板１０の基板突出部１０ａにＬＥＤ電流制限抵抗やトランジスタ等の電子部品を実装するようにしてもよい。
【００７３】
また、前記実施形態では、ソーラーセル１１を文字板４の表面に対して垂直に配置したが、文字板に対して、垂直以外の所定の角度で傾けて配置してもよい。この場合、外装ケース２の内側周面を文字板４の表面に対して所定の角度で傾けるとよい。
【符号の説明】
【００７４】
１        電子時計
２        外装ケース
２ｆ      内側周面
２ｇ      溝部
３        風防部材（風防）
４        文字板
８        見返しリング（押え部材、延出部）
９        時計ムーブメント
１０      回路基板
１０ａ    回路基板突出部
１１      ソーラーセル（回路素子）
１２ａ，１２ｂ      接続バネ
２０      地板
２１      輪列
２２      駆動モータ
２２ａ    駆動コイル
２３      二次電池
２４      水晶振動子
２７      制御ＩＣ
２８      コンデンサ（電子部品）
４０      ソーラーセル当接部材（当接部）
【図１】
2015090327.tif 000003
【図２】
2015090327.tif 000004
【図３】
2015090327.tif 000005
【図４】
2015090327.tif 000006
【図５】
2015090327.tif 000007
【図６】
2015090327.tif 000008
【図７】
2015090327.tif 000009
【図８】
2015090327.tif 000010
【図９】
2015090327.tif 000011
【図１０】
2015090327.tif 000012
【図１１】
2015090327.tif 000013
【図１２】
2015090327.tif 000014
【図１３】
2015090327.tif 000015
【図１４】
2015090327.tif 000016
【図１５】
2015090327.tif 000017
【図１６】
2015090327.tif 000018
【図１７】
2015090327.tif 000019
【図１８】
2015090327.tif 000020
【図１９】
2015090327.tif 000021